(57)【要約】【課題】  ＣＤ、ＤＶＤなどの記録媒体を入れて蓋体をロックすることが出来る薄型ケースの提供。【解決手段】  蓋体３をロックする為のロックプレート１２はＤＶＤ等の記録媒体が収容される空間領域と重なり合わない位置に挿着され、そして、本体２及び蓋体３には係合片２８ａ，２８ｂ，３０ａ，３０ｂを起立すると共に係合溝２９ａ，２９ｂ，３１ａ，３１ｂを形成し、該蓋体３を閉じることで本体２から起立した係合片２８ａ，２８ｂは蓋体３の係合溝３１ａ，３１ｂに係合することが出来、蓋体３から起立した係合片３０ａ，３０ｂは本体２の係合溝２９ａ，２９ｂに係合することが出来るようにしている。【選択図】    図１
2012206756.tif 000002
【特許請求の範囲】
【請求項１】
ＣＤ、ＤＶＤなどの記録媒体を入れて蓋体をロックすることが出来る薄型ケースにおいて、蓋体をロックする為のロックプレートは上記ＣＤやＤＶＤ等の記録媒体が収容される空間領域と重なり合わない位置に挿着され、そして、本体及び蓋体には係合片を起立すると共に係合溝を形成し、該蓋体を閉じることで本体から起立した係合片は蓋体の係合溝に係合することが出来、蓋体から起立した係合片は本体の係合溝に係合することが出来ようにしたことを特徴とする記録媒体を収容する薄型ケース。
【請求項２】
本体及び蓋体には所定の間隔をおいた２か所に係合片と係合溝を対を成して設け、両係合片及び係合溝間の距離を収容されるＤＶＤやＣＤなどの直径より小さくした請求項１記載の記録媒体を収容する薄型ケース。
【請求項３】
上記補助係合片を上記係合片より蓋体の開閉継手側及びロックプレート側に起立して設けた請求項２記載の記録媒体を収容する薄型ケース。
【発明の詳細な説明】
【技術分野】
【０００１】
本発明はＤＶＤ等の記録媒体を収容すると共に盗難防止を図った薄型ケースケースに関するものである。
【背景技術】
【０００２】
図９はビデオ等のレンタルショップにおいて、陳列棚に陳列されるレンタル用ケース（イ）の形態を示している。レンタル用ケース（イ）は一回り大きな陳列用カバーケース（ロ）に収容されると共に、上部開口から上端部が突出した状態で入れられ、多数のレンタル用ケース（イ）、（イ）・・・が陳列棚に整然と陳列される。該陳列用カバーケースにはタイトル紙が巻き付けられて、レンタル用ケース内に収容されているＣＤやＤＶＤなどの内容がレンタルショップに訪れる客に分かるように成っている。
【０００３】
そこで、レンタルショップに訪れる客は陳列用カバーケース（ロ）に収容されているレンタル用ケース（イ）を抜き取って借りることが出来る。該レンタル用ケース（イ）の内部にはＣＤやＤＶＤ等の記録媒体が収容されているが、所定の手続を経ないでレンタルショップから持ち出すことが出来ないように、すなわち盗難を防止する為に、開かないようにロックされていると共に、タグシールが貼着されていて警報装置が作動する。
【０００４】
図１０はレンタル用ケース（イ）を示しているが、レンタル用ケース（イ）は本体（ハ）と蓋体（ニ）を有し、蓋体（ニ）は継手（ホ）、（ホ）を介して開閉することが出来る。同図の蓋体（ニ）は開いた状態であり、そして、本体（ハ）の中央部に設けているヘソ（ヘ）にはＤＶＤ（ト）が嵌って取付けられている。そして、レンタル用ケース（イ）にはロックプレート（チ）が備わり、上記蓋体（ニ）を閉じてロックプレート（チ）を本体（ハ）の側片を切欠いて形成した開口（リ）から挿入するならばロックされる。
【０００５】
しかも、該ロックプレート（チ）は取付けたツメがレンタル用ケース（イ）に設けた係止片に係止することで、勝手に抜取ることが出来ない構造と成っている。該ロックプレート（チ）にはタグシール（図示なし）が貼着されており、そのまま、レンタル店から持ち出すことも出来ない。すなわち、レンタル店の出入口に設置してある防犯ゲートが作動して警報音が鳴る。
【０００６】
特開２００２−１５０４４４号に係る「盗難防止機能を備えたＤＶＤ等の貸出しケース」は、レンタルショップの棚に陳列したＤＶＤ等が盗難に遭わないように盗難防止機能を備えた貸出しケースであって、顧客がカウンターに持ち運んだ貸出しケースのロックを素早く解錠出来ると共に、複数枚のケースを重ねて同時に解錠可能なＤＶＤ等の貸出しケースである。そこで、このケースは本体ケースと蓋から成り、ケースの側面開口からロック板をロック板嵌入空間にスライドして嵌入することで蓋が開かない構造とし、その為にロック板の両挟持片を蓋と本体ケースに形成したガイド溝に嵌め、又ロック板の側縁にはケースから突出するツメを設け、基部を中心として撓み変形する板バネには本体ケースの係止部に係止するロックツメを設けた構造としている。
【０００７】
ところで、レンタル店の棚は限られており、古いＤＶＤやＣＤの一部は処分してはいるが、新に出てくる新作を棚に陳列することが困難な状態と成っている。そこで、その対策としてレンタル用ケース（イ）の厚さ並びにレンタル用ケース（イ）が収容される陳列用カバーケース（ロ）の厚さを小さくする必要がある。
【０００８】
上記特開２００２−１５０４４４号に係る「盗難防止機能を備えたＤＶＤ等の貸出しケース」の場合、ロック板には両挟持片を形成していると共に、両挟持片は本体ケースと蓋に設けているガイド溝に嵌ることで蓋が開かないようにロックされる。すなわち、両面側へ張り出した挟持片を有すロック板（ロックプレート）は厚くなり、両挟持片が嵌る為のガイド溝を形成した貸出しケース（レンタル用ケース）の厚さも厚くなる。
【０００９】
その結果、該貸出しケース（レンタル用ケース）が収容される陳列用カバーケース（ロ）の厚さは必然的に厚くなり、陳列棚に配列される陳列用カバーケース（ロ）、（ロ）・・・の本数は少なく成ってしまう。従って、レンタル用ケースは薄くする方が好ましく、しかし薄くすることでケース自体の剛性が低下して隙間からこじ開けて収容しているＣＤやＤＶＤ等が盗まれる虞がある。
レンタル用ケースに限らず販売用ケースにしても、薄い方が販売用棚に数多くの収容ケースが陳列出来る為に便利である。
【特許文献１】特開２００２−１５０４４４号に係る「盗難防止機能を備えたＤＶＤ等の貸出しケース」
【発明の開示】
【発明が解決しようとする課題】
【００１０】
このように、従来のレンタル用ケース及び販売用ケースには上記のごとき問題がある。本発明が解決しようとする課題はこの問題点であり、従来ケースに比較してその厚さを薄くし、同じ陳列棚により多数の収容ケースを陳列することが出来る記録媒体を収容した薄型ケースを提供する。しかも、盗難抑制機能を備えた薄型ケースである。
【課題を解決するための手段】
【００１１】
本発明に係る記録媒体を収容した薄型ケースは、本体と蓋体からなり、蓋体は継手を介して開閉することが出来、本体の底中央部にはＤＶＤやＣＤ等の円盤状記録媒体が嵌って取付けられるヘソを有し、又はその他の記録媒体を収容することが出来る収容部を形成している。また、本体のみならず蓋体にもＤＶＤやＣＤを取付けることもある。ケースとしての基本形態は従来と共通しているが、ロックプレートの挿着位置を収容されるＣＤやＤＶＤなどから外している。
【００１２】
すなわち、ロックプレートはＣＤやＤＶＤ等と重なり合わない位置に挿着して薄型ケースが開かないようにロックしている。ところで、ロックプレートにはバネ力が付勢されているツメを有し、このツメはロックプレートをケースの側部開口から挿入することで該ケースに設けている係止部に係止してケースの蓋体をロックすると共に該ロックプレートが抜けないようにロックされる。
【００１３】
そして、本発明の薄型ケースの本体及び蓋体には係合片と係合溝が設けられ、蓋体を閉じることで上記係合片と係合溝は互いに係合することが出来る。ここで、係合片及び係合溝を設ける位置は特に限定しないが、複数箇所に設けることでＣＤ及びＤＶＤ等が盗難に遭わない為に、ＣＤやＤＶＤの直径より小さい距離としている。すなわち、隣合う係合片間をＣＤやＤＶＤ等が通過出来ない距離とする。
【発明の効果】
【００１４】
本発明に係る薄型ケースは、挿入されるロックプレートはＣＤやＤＶＤなどが収容される位置とは異なり、すなわちＣＤやＤＶＤ等と重なり合わない位置にロックプレートが挿入されることで、ケースは薄く成っている。しかし、ケースが薄くなることで全体の剛性が不足して蓋体をこじ開けて収容されているＣＤやＤＶＤなどが盗まれる虞が発生する。
【００１５】
しかし、本発明の場合、本体と蓋体に係合片と係合溝が設けられ、蓋体を閉じることで係合片と係合溝は互いに係合し合う為に、蓋体をこじ開けて収容されているＣＤやＤＶＤなどが盗まれることはない。すなわち、蓋体をこじ開けても係合片の間をＣＤやＤＶＤなどが通過することは出来ない距離に設けられている。
【図面の簡単な説明】
【００１６】
【図１】本発明のレンタル用ケースで、本体と蓋体が開いた状態。
【図２】ロックプレートを示す実施例。
【図３】レンタル用ケースにロックプレートが挿着されている場合。
【図４】概略Ｌ型ロックプレートのアームが本体と蓋体に形成した嵌合部に嵌合している断面拡大図。
【図５】レンタル用ケースをこじ開けた場合。
【図６】レンタル用ケースに設けた係合片と補助係合片が設けている位置。
【図７】図６のＡ−Ａ断面図、Ｂ−Ｂ断面図、Ｃ−Ｃ断面図をそれぞれ表している。
【図８】レンタル用ケースにロックプレートが挿着されている他の実施例。
【図９】陳列用カバーケースに上端部を突出して収容されているレンタル用ケース。
【図１０】従来のレンタル用ケースの蓋体が開いている場合。
【発明を実施するための形態】
【００１７】
図１は薄型レンタル用ケース１の実施例であり、同図の２は本体、３は蓋体を示し、該蓋体３は継手を介して開閉可能に取付けられている。そして、本体２の底中央部にはヘソ４が突出して設けられ、該ヘソ４はＤＶＤ等の穴に嵌って取付けられる。ところで、レンタル用ケース１には従来ケースと同じく、本体２のヘソ４にＤＶＤ等を取付けて蓋体３を閉じ、該蓋体３が開かないようにロックした状態で陳列用カバーケースに収容される。そして、陳列用カバーケースはレンタル店の陳列棚に配列される。この陳列形態は図        に示すように従来と同じである。
【００１８】
本発明のレンタル用ケース１には蓋体３を閉じてロックプレートが挿入されるが、該ロックプレートと噛み合って蓋体３が開かないように所々に嵌合部を形成している。本体２には嵌合部５ａ，５ｂ、嵌合部７、嵌合部９ａ，９ｂを設け、蓋体３には嵌合部６ａ，６ｂ、嵌合部８、嵌合部１０ａ，１０ｂを設けている。また、蓋体３には収容部１１を有し、本体側には蓋体３が閉じた際に収容部１１が嵌る切欠き部２７を形成している。
【００１９】
ところで、蓋体３を閉じてロックプレートを挿入するならば、該ロックプレート２のアーム１４を介して上記嵌合部５ａ，５ｂ，６ａ，６ｂ、嵌合部７，８、及び嵌合部９ａ，９ｂ，１０ａ，１０ｂが互いに連結し合い、蓋体３は開かないようにロックされる。
【００２０】
図２は本発明のロックプレート１２を示す実施例である。該ロックプレート１２は同図に示すように概略Ｌ型を成し、基部１３とアーム１４を有し、また基部１３から短い嵌合片１５をアーム１４と平行を成して延びている。そして、基部１３のアーム側には小さい突片１６を突出している。該アーム１４の内部には係止片（図示なし）が揺動可能に取付けられ、この係止片の先端に形成したツメ１７ａ，１７ｂが内側縁に突出し、係止片にはバネ力が付勢されてツメ１７ａ，１７ｂは内側縁１８から常時突出することが出来る。
【００２１】
アーム１４の外側縁１９はその厚さを薄くして嵌合縁２０を沿設している。また、基部１３の周辺にはリブを起立し、該リブの内側は浅い凹部２１を形成し、この凹部内にタグシール（図示なし）が貼着される。凹部２１を形成してタグシールを貼着することでロックプレート１２の出入れに際して該タグシールが剥れることはない。そして、ロックプレート１２を挿着する際には基部１３は蓋体３に形成した収容部１１に嵌る為に、基部１３の凹部２１に貼着されるタグシールがキズ付けられて機能を失うことはない。
【００２２】
図３は蓋体３を閉じてロックプレート１２を挿着した場合を示している。該ロックプレート１２が挿着されることで蓋体３は開かないようにロックされるが、基部１３は蓋体３に形成した収容部１１に嵌り、アーム１４は本体２に設けたガイド溝２２に嵌る。このように、蓋体３を閉じてロックプレート１２が挿着され、アーム１４がガイド溝２２に嵌るならば、本体２及び蓋体３に設けている各嵌合部５ａ，５ｂ，６ａ，６ｂ、嵌合部９ａ，９ｂ，１０ａ，１０ｂはアーム１４を介して連結し合うことになる。
【００２３】
また、ロックプレート１２の嵌合片１５が本体２の嵌合部７、及び蓋体３の嵌合部８に嵌ることで、両嵌合部７，８は嵌合片１５を介して連結し合うことが出来る。従って、蓋体３は開くことなくロックされる。図４（ａ）〜（ｄ）はアーム１４が挿着した場合の嵌合部との関係を表している断面拡大図である。
【００２４】
図４（ａ）は本体２に設けた嵌合部５ａにアーム１４が嵌合している場合で、嵌合部５ａは本体底２３から立ち上がって形成され、この嵌合部５ａの穴にアーム１４が嵌っている。嵌合部５ｂの場合も同じである。図４（ｂ）は蓋体３に設けた嵌合部６ａにアーム１４が嵌合している場合で、嵌合部６ａは蓋体底２４から立ち上がって形成され、この嵌合部６ａの穴にアーム１４が嵌っている。嵌合部６ｂの場合も同じである。
【００２５】
図４（ｃ）は蓋体３の側縁２６に形成した嵌合部１０ａにアーム１４の外側縁１９に設けた嵌合縁２０が嵌っている場合で、嵌合部１０ｂの場合も同じである。図４（ｄ）は本体２の側縁２５に形成した嵌合部９ａにアーム１４の外側縁１９に設けた嵌合縁２０が嵌っている場合で、嵌合部９ｂの場合も同じである。このように、アーム１４が本体２に設けたガイド溝２２に挿着されることで、嵌合部５ａ，５ｂ，６ａ，６ｂ、及び嵌合部９ａ，９ｂ，１０ａ，１０ｂは互いに連結し合い、蓋体３はロックされる。
【００２６】
基部１３から延びる嵌合片１５も本体２に設けた嵌合部７と蓋体３に設けた嵌合部８に嵌ることで蓋体３はロックされる。ところで、ガイド溝２２に挿着されたロックプレート１２を引き抜く場合には、２個のツメ１７ａ，１７ｂを内側縁１８の内側へ後退させる必要があり、その為に磁石を近づけて解錠され、基部１３に設けた突片１６を係止して引き抜くことが出来る。この解錠手段は従来のレンタル用ケースに取付けたロックプレートと共通している為にその説明は省略する。
【００２７】
ところで、本発明のレンタル用ケースはその厚さが薄い薄型ケースであり、ロックプレート１２は概略Ｌ形をしている。すなわち、Ｌ形をしたロックプレート１２は、そのアーム１４がレンタル用ケースに収容されるＤＶＤ等と重なることなくガイド溝２２に嵌ることが出来、また、ロックプレート１２の基部１３はＤＶＤ等と重ならない位置に設けた収容部１１に嵌合している。
【００２８】
ロックプレート１２が挿着することで蓋体３はロックされるが、この位置は継手から最も離れた部位であり、継手とロックプレート１２の間、すなわちＤＶＤ等が収容されている領域は特に剛性が低くてケースをこじ開け易く成っている。そして、こじ開けることで本体２と蓋体３との間に隙間が形成されるならば、この隙間からＤＶＤ等を抜取ることが可能と成る。
【００２９】
そこで、本発明のレンタル用ケース１では、本体２と蓋体３に互いに係合し合う（噛み合う）係合片と係合溝を形成している。図１において、本体２には細長い円弧状の係合片２８ａ，２８ｂが突出し、この係合片２８ａ，２８ｂと対を成して外側に細長い円弧状の係合溝２９ａ，２９ｂを設けている。また、蓋体３には細長い円弧状の係合片３０ａ，３０ｂが突出し、この係合片３０ａ，３０ｂと対を成して内側には細長い円弧状の係合溝３１ａ，３１ｂを設けている。
【００３０】
ところで、蓋体３を閉じるならば、本体２の係合片２８ａは蓋体３の係合溝３１ａに係合し、本体２の係合片２８ｂは蓋体３の係合溝３１ｂに係合する。そして、本体２の係合溝２９ａには蓋体３の係合片３０ａが係合し、本体２の係合溝２９ｂには蓋体３の係合片３０ｂが係合することに成る。従って、閉じてロックされた蓋体３を側辺３２の側からこじ開けるならば僅かに開口するが、収容されているＤＶＤ等を取出すことは出来ない。
【００３１】
上記本体２の係合片２８ａ、２８ｂは蓋体３の係合溝３１ａ，３１ｂに係合し、また本体２の係合溝２９ａ，２９ｂには蓋体３の係合片３０ａ，３０ｂが係合することでＤＶＤ等を取出すことを阻止することが出来る。すなわち、本体２の係合片２８ａと係合片２８ｂ間距離、並びに蓋体３の係合片３０ａと係合片３０ｂ間距離はＤＶＤ等の直径より小さい為に、両係合片間を通過して抜取ることは出来なくなる。
【００３２】
しかし、本体２と蓋体３を大きくこじ開けることで、上記係合片が係合溝から完全に外れると共に、本体側の係合片先端と蓋体側の係合片先端との間をＤＶＤ等が通過する隙間が形成されるならば、両係合片間距離がＤＶＤ等の直径より小さくても抜取られる。その為に、補助係合片を設けることも出来る。
【００３３】
図５は本体２と蓋体３をこじ開けた場合を示している。薄型のレンタル用ケース１はこじ開けることでこのように大きく開口し、この開口から収容しているＤＶＤ３５が抜取られる虞がある。しかし、本発明では本体２に係合片２８ａ，２８ｂが起立し、蓋体３にも係合片３０ａ，３０ｂが起立しており、これら係合片２８ａと係合片２８ｂ間距離Ｌ、及び係合片３０ａと係合片３０ｂ間距離はＤＶＤの直径Ｄより小さく成っている。従って、ＤＶＤ３５は上記係合片の間を通過することが出来ない。
【００３４】
しかし、本体２と蓋体３をさらに大きくこじ開ける場合には、本体側の係合片２８ａ、２８ｂ先端と蓋体側の係合片３０ａ，３０ｂ先端との間にＤＶＤ３５が通過する隙間が形成されるならば、この隙間から抜取られる。そこで、本発明の薄型ケースには本体側に補助係合片３６ａ，３６ｂを起立し、蓋体側には補助係合片３７ａ，３７ｂを起立している。そして、これら各補助係合片３６ａ，３６ｂ，３７ａ，３７ｂの位置は蓋体３が開閉する継手側であり、またロックプレート側である為に、補助係合片３６ａ，３６ｂの先端と補助係合片３７ａ，３７ｂの先端に隙間が出来る程こじ開けることは出来ない。
【００３５】
そして、補助係合片３６ａと３６ｂ間距離、並びに補助係合片３７ａと３７ｂ間距離はＤＶＤの直径より小さく成っていることで、これら各補助係合片間をＤＶＤが通過することも出来ない。図６はレンタル用ケースの本体２及び蓋体３から起立して設けている係合片と補助係合片の位置を表している。ＤＶＤの直径はＤ＝１２０ｍｍであり、その為に補助係合片間距離Ｍを、例えば１０５ｍｍとすればＤＶＤは補助係合片間を通過することは出来なくなる。
【００３６】
図７（ａ）、（ｂ）、（ｃ）は図６のＡ−Ａ断面、Ｂ−Ｂ断面、Ｃ−Ｃ断面をそれぞれ表している。
（ａ）はＡ−Ａ断面を示しているように、本体から係合片２８ａ，２８ｂが起立し、また蓋体３から係合片３０ａ，３０ｂが起立している。そして本体から起立した係合片２８ａ，２８ｂは蓋体３の係合溝３１ａ，３１ｂに係合し、蓋体３から起立する係合片３０ａ，３０ｂは本体２の係合溝２９ａ，２９ｂに係合している。
【００３７】
（ｂ）はＢ−Ｂ断面を示しているように、本体２の補助係止片３６ａ，３６ｂは蓋体３に設けている補助係合溝に係合している。
（ｃ）はＣ−Ｃ断面を示しているように、蓋体３の補助係合片３７ａ，３７ｂは本体２に設けている補助係合溝に係合している。
【００３８】
図８は本発明のレンタル用ケースを示す他の実施例である。このケースは前記図１に示したレンタル用ケースよりそのサイズは大きく、ロックプレート３２の形状も違っている。このロックプレート３２は基部３３から２本のアーム３４ａ，３４ｂが延び、この２本のアーム３４ａ，３４ｂは本体２及び蓋体３に設けた嵌合部に嵌ることで、蓋体３は開かないようにロックされる。そして、大きな基部３３にはタグシール（図示なし）が貼着されている。
【００３９】
そして、前記実施例の場合と同じように、同図のレンタル用ケースはその厚さは薄く成っていて、側辺をこじ開けて収容しているＤＶＤ等を抜取られないように互いに係合し合う係合片及び係合溝を形成している。しかも、係合片間距離は収容しているＤＶＤ等の直径より小さく成っていて、抜取りを阻止する構造と成っている。これらは、レンタル用ケースの大きさ並びにロックプレートの形状が違っているだけで、前記実施例で説明したレンタル用ケースの場合と共通している。
【符号の説明】
【００４０】
１  レンタル用ケース
２  本体
３  蓋体
４  ヘソ
５  嵌合部
６  嵌合部
７  嵌合部
８  嵌合部
９  嵌合部
10  嵌合部
11  収容部
12  ロックプレート
13  基部
14  アーム
15  嵌合片
16  突片
17  ツメ
18  内側縁
19  外側縁
20  嵌合縁
21  凹部
22  ガイド溝
23  本体底
24  蓋体底
25  側縁
26  側縁
27  切欠き部
28  係合片
29  係合溝
30  係合片
31  係合溝
32  ロックプレート
33  基部
34  アーム
35  ＤＶＤ
36  補助係合片
37  補助係合片
【図１】
2012206756.tif 000003
【図２】
2012206756.tif 000004
【図３】
2012206756.tif 000005
【図４】
2012206756.tif 000006
【図５】
2012206756.tif 000007
【図６】
2012206756.tif 000008
【図７】
2012206756.tif 000009
【図８】
2012206756.tif 000010
【図９】
2012206756.tif 000011
【図１０】
2012206756.tif 000012